(57)【要約】  【課題】  流れ込んできた排水を確実にすばやく地面に浸透させることができ、しかも、油分を除いて浸透させることができる集水枡を提供する。  【解決手段】  この集水枡１の底部に取り付けられたサイフォン管２０は、取込口２３より上方かつ排水口１２より下方に、導水路２２に通じる孔部２４が形成されている。この集水枡１では、沈殿部１３にたまった水は、汚泥を沈殿しつつサイフォン管２０から地面に浸透させる。このとき、排水中の油分は、沈殿部１３の上澄みの上部に溜まっているが、上澄みは孔部２４に達すると、この孔部２４から空気が入ってサイフォン管２０はサイフォンの原理が作用しなくなるので、サイフォン管内に流れ込まなくなり、その結果油分も地面に浸透することがない。従って、この集水枡１を用いると、流れ込んできた排水を確実にすばやく地面に浸透させることができ、しかも、油分を除いて浸透させることができる。【選択図】  図１
2005098100.tif 000002
【特許請求の範囲】
【請求項１】
深さを形成する側面部（１１）に排水口（１２）が設けられ、この排水口より上方に取水部（１０、１５）が形成され、前記排水口（１２）より下方に沈殿部（１３）が形成された混濁物除去具（１）において、
前記沈殿部（１３）を形成する当該枡（１）の底面部（１４）、あるいは、前記側面部（１１）のうち、前記沈殿部（１３）を形成する前記底面部（１４）近傍の側面部（１１ａ）を貫通した貫通口（２１）から上方に向って折り返し、前記貫通口（２１）より上方の前記沈殿部（１３）内で開口した導水路（２２）を形成するサイフォン管（２０）を備え、
このサイフォン管（２０）が前記沈殿部（１３）内で開口する開口部分である取込口（２３）より上方でありかつ前記排水口（１２）より下方に、前記導水路（２２）に通じる孔部（２４）がサイフォン管（２０）に形成されていることを特徴とする混濁物除去具（１）。
【請求項２】
請求項１記載の混濁物除去具（１）であって、前記取水部（１０，１５）として開口した天井面（１０）を有し、この開口にグレーチング（１４）を取付可能に形成されたことを特徴とする集水枡（１）。
【請求項３】
請求項１，２記載の混濁物除去具（１）であって、前記取水部（１０，１５）として前記側面部（１１）が開口し、この開口（１０）から道路の側溝や排水溝その他の集水設備から排水を取り込み可能に形成されたことを特徴とする集水枡（１）。
【発明の詳細な説明】
【技術分野】
【０００１】
本発明は、混濁物除去具及び集水枡に関する。
【背景技術】
【０００２】
従来より、道路には、道路脇に設けられた側溝と、この側溝に流れ込んだ雨水を集水するとともに道路上に降った雨水を直接集水する集水枡と、この集水枡に集められた雨水を川や海等に導く雨水管とで構成された雨水排水システムが道路などに設けられている。
【０００３】
このうち集水枡は、側溝から流れ込んだ雨水に含まれる泥や落ち葉などの混濁物を除去する機能を有しており、この集水枡で混濁物を除去することにより、この集水枡より下流側の雨水管等での詰まりを防止して、雨水をスムーズに排水するための重要な機能を果たしている。
【０００４】
この集水枡１００は、具体的には、図３に示すとおり、天井部１０１が開口しており、その開口にはグレーチング１０２がはめ込まれている。また深さを形成する側面部１０３には、側溝につながる集水口１０４と、雨水管につながる排水口１０５とが形成され、排水口１０５より下方部分の集水枡１００は、混濁物を沈殿するための沈殿部１０６として機能している。
【０００５】
この集水枡１００に側溝又は道路から流れてきた雨水は、集水口１０４または天井部１０１にはめ込まれたグレーチング１０２の格子の隙間から集水枡１００内に流れ込み、沈殿部１０６に溜まる。そしてこの沈殿部１０６で混濁物が沈殿される。そして、この集水枡１００に流れ込み沈殿部１０６に溜まった雨水が排水口１０５の高さに達すると、沈殿部１０６に溜まった雨水の上澄み部分だけが排水口１０５から雨水管に流れ込む。そのため、この雨水排水システムでは、集水枡１００より先は、混濁物を含まない雨水が流れ、詰まらないので、雨水を効率よく排水することができる。
【０００６】
ところで、最近は、地球温暖化やヒートアイランド現象の影響と思われる集中豪雨が都市で頻繁に発生するようになり、雨水排水システムを設置しただけでは、雨水を排水しきれない現象がしばしば発生している。そのため、雨水を地面に浸透させて、雨水の排水能力を高めた雨水排水システムが採用されることが多くなっている。具体的には、集水枡の下流側に、雨水を地面に浸透させる機能だけを有する浸透枡を設けたり（先行技術文献１）、集水枡そのものに雨水を地面に浸透させる機能を付加している。
【０００７】
この雨水の浸透機能は、集水枡１００では、図３に示すように、側面部１０３や底面部１０７に複数の浸透孔１０８を設けることにより実現される。
【先行技術文献１】
【０００８】
愛知県豊川市、雨水浸透事業、雨水浸透トレンチ・浸透枡の設置例、インターネット（ＵＲＬ：http://www.city.toyokawa.aichi.jp/tanto/gseibi/usuisintouzu.html）
【発明の開示】
【発明が解決しようとする課題】
【０００９】
ところで、雨水中には、アスファルト等から発生した油分も混濁物として含有されており、この油分は、浸透孔１０８を備えていない集水枡では、沈殿部１０６に溜まった雨水の上澄み部分の表面に集積し、雨水管に流れていくのが通常である。
【００１０】
しかし、この浸透孔１０８を備えた集水枡１００では、これら油分も雨水と共に地面に浸透してしまうので、地面が油分で汚染されるという問題がある。
また、浸透孔１０８は混濁物で詰まりやすく、雨水をすばやく地面に浸透させることができず、場合によっては、排水機能を果せなくなる恐れがあるという問題もある。
【００１１】
そこで本発明では、上述した問題点を解決し、流れ込んできた排水を確実にすばやく地面に浸透させることができ、しかも、油分を除いて浸透させることができる混濁物除去具を提供することを目的とする。
【課題を解決するための手段】
【００１２】
上述した問題点を解決するためになされた請求項１に記載された混濁物除去具は、深さを形成する側面部（１１）に排水口（１２）が設けられ、この排水口より上方に取水部（１０、１５）が形成され、前記排水口（１２）より下方に沈殿部（１３）が形成された混濁物除去具（１）において、前記沈殿部（１３）を形成する当該枡（１）の底面部（１４）、あるいは、前記側面部（１１）のうち、前記沈殿部（１３）を形成する前記底面部（１４）近傍の側面部（１１ａ）を貫通した貫通口（２１）から上方に向って折り返し、前記貫通口（２１）より上方の前記沈殿部（１３）内で開口した導水路（２２）を形成するサイフォン管（２０）を備え、このサイフォン管（２０）が前記沈殿部（１３）内で開口する開口部分である取込口（２３）より上方でありかつ前記排水口（１２）より下方に、前記導水路（２２）に通じる孔部（２４）がサイフォン管（２０）に形成されていることを特徴とする。
【００１３】
この混濁物除去具では、取水部から内部に雨水等の排水が取り込まれ、その排水はまず沈殿部に貯められる。するとこの沈殿部に貯められた排水中の混濁物が沈殿部で沈殿される。そして、雨量が多いときなどに排水の嵩が排水口より高くなると、混濁物を含まない上澄み部分の排水だけが、排水口から排水される。
【００１４】
一方、この混濁物除去具は、サイフォン管を備えており、沈殿部に溜まった排水の水位が貫通口より高ければ、サイフォンの原理により、沈殿部に開口している取込口から排水が取り込まれ、貫通口から外部に排出される。そのため、この集水枡内に流れ込む水量よりサイフォン管から流れ出す水量のほうが多ければ、沈殿部内の排水の水位は徐々に下がっていく。ただし、本発明の混濁物除去具は、サイフォン管に孔部が設けられているので、沈殿部内の排水の水位がこの孔部に達すると、この孔部から空気が入り、サイフォンの原理が働かなくなるので、外部への排水は停止する。
【００１５】
油分は、沈殿部に貯められているときに、上澄みの表面に浮いている。そのため、サイフォン管から排出される水量よりも、集水枡内に流入する排水の水量が多いときは、沈殿部内の排水の水位が取込口に達したときに、排水の上澄み部分とともに、油分が排水口から流される。また、サイフォン管から排出される水量よりも、集水枡内に流入する排水の水量が少ないときは、サイフォン管から排水されて沈殿部内の水位が徐々に下がるが、このとき排水されるものは、油分が上澄みの表面に存在するので、油分を含まない状態で排水される。
【００１６】
また、サイフォン管の取込口が大きいと、沈殿部内の水位が取込口に近づいたとき、油分も吸い込まれ、油分が土中に漏れ出すこともあるが、本発明の混濁物除去具では、水位が孔部に達するとサイフォン管からの排水が停止するので、取込口を大きくしても、油分が外部に排出されることはない。そのため、取込口を大きく形成することによって、このサイフォン管を介した排水量を多くすることができる。
【００１７】
従って、本発明の混濁物除去具を用いると、流れ込んできた排水を確実にすばやく地面に浸透させることができ、しかも、油分を除いて浸透させることができる。
尚、請求項２に記載したように、混濁物除去具（１）は、取水部（１０，１５）として開口した天井面（１０）を有し、この開口にグレーチング（１４）を取付可能に形成された集水枡（１）や、請求項３に記載したように、取水部（１０，１５）として側面部（１１）が開口し、この開口（１０）から道路の側溝や排水溝その他の集水設備から排水を取り込み可能に形成された集水枡（１）として用いることが好ましい。このように本発明の混濁物除去具を集水枡として用いれば、雨水排水システムにおいて、雨水管等を詰まらせることなく雨水を排水することができる
尚、この欄において、発明に対する理解を容易にするため、必要に応じて「発明を実施するための最良の形態」欄で用いた符号を付したが、この符号によって請求の範囲を限定することを意味するものではない。
【発明を実施するための最良の形態】
【００１８】
以下、本発明を実施するための最良の形態について図面を用いて説明する。
ここで、図１は、本実施形態の集水枡の断面図で、地面に埋められた状態のものを示している。
【００１９】
本実施形態の集水枡１は、図１に示すように、天井部１５が開口し、その開口にはグレーチング１６が嵌め込まれている。また、本実施形態の集水枡１の深さを形成する４つの側面部１１のうちの一面には、道路わきに設置された図示しない排水溝につながる集水口１０が形成され、また他の一面であって集水口１０の下方には、雨水管につながる排水口１２が形成されている。また、本実施形態の集水枡１は、この排水口１２より下方部分が、廃物を沈殿するための沈殿部１３として機能する。
【００２０】
本実施形態の集水枡１は、サイフォン管２０を備えている。このサイフォン管２０は、沈殿部１３を形成する集水枡１の底面部１４を貫通した貫通口２１から上方に向って折り返し、貫通口２１より上方の沈殿部１３内で開口した取込口２３まで導水路２２を形成している。そして、このサイフォン管２０は、取込口２３より上方部分でありかつ排水口１２より下方部分に、導水路２２に通じる孔部２４が形成されている。
【００２１】
この集水枡１では、天井部１５の開口と集水口１０から内部に雨水等の排水が取り込まれ、その排水はまず沈殿部１３に貯められる。するとこの沈殿部１３に貯められた排水中の混濁物が沈殿部１３で沈殿される。そして、雨量が多いときなどに排水の嵩が排水口１２より高くなると、混濁物を含まない上澄み部分の排水だけが、排水口１２から排水される。
【００２２】
一方、この集水枡１は、サイフォン管２０を備えており、沈殿部１３に溜まった排水の水位が貫通口２１より高ければ、サイフォンの原理により、沈殿部１３に開口している取込口２３から排水が取り込まれ、貫通口２１から土中に排出される。そのため、この集水枡１内に流れ込む水量よりサイフォン管２０から流れ出す水量のほうが多ければ、沈殿部１３内の排水の水位は徐々に下がっていく。ただし、本実施形態の集水枡１は、サイフォン管２０に孔部２４が設けられているので、沈殿部１３内の排水の水位がこの孔部２４に達すると、この孔部２４から空気が入り、サイフォンの原理が働かなくなるので、外部への排水は停止する。
【００２３】
油分は、沈殿部１３に貯められているときに、上澄みの表面に浮いている。そのため、サイフォン管２０から排出される水量よりも、集水枡１内に流入する排水の水量が多いときは、沈殿部１３内の排水の水位が取込口２３に達したときに、排水の上澄み部分とともに、油分が排水口から流される。また、サイフォン管２０から排出される水量よりも、集水枡１内に流入する排水の水量が少ないときは、サイフォン管２０から排水されて沈殿部１３内の水位が徐々に下がるが、このとき排水されるものは、油分が上澄みの表面に存在するので、油分を含まない状態で排水される。
【００２４】
また、サイフォン管２０の取込口２３が大きいと、沈殿部１３内の水位が取込口に近づいたとき、油分も吸い込まれ、油分が土中に漏れ出すこともあるが、本実施形態の集水枡１では、水位が孔部２４に達するとサイフォン管２０からの排水が停止するので、取込口２３を大きくしても、油分が外部に排出されることはない。そのため、取込口２３を大きく形成することによって、このサイフォン管２０を介した排水量を多くすることができる。
【００２５】
従って、本実施形態の集水枡１を用いると、流れ込んできた排水を確実にすばやく地面に浸透させることができ、しかも、油分を除いて浸透させることができる。
尚、以上本発明の一実施形態ついて説明したが、本発明はこの実施形態に何等限定されるものではなく、本発明の要旨を逸脱しない範囲において、種々なる態様で実施し得ることは勿論である。
【００２６】
例えば、上記実施形態では、貫通口２１を集水枡１の底面部１４に設けたが、図２に示すように、底部近傍の側面部１１に設けてもよいことはもちろんである。
また、上記実施形態では、集水枡１について説明したが、浸透枡に本実施形態のサイフォン管２０を設けてもよく、その他用途があれば、どのような用途に用いてもよい。
【図面の簡単な説明】
【００２７】
【図１】本実施形態の集水枡の断面図で、地面に埋められた状態のものを示している。
【図２】他の実施形態の説明図で、集水枡の断面図である。
【図３】従来の集水枡の断面図である。
【符号の説明】
【００２８】
１…集水枡、１０…集水口、１１…側面部、１２…排水口、１３…沈殿部、１４…底面部、１５…天井部、１６…グレーチング、２０…サイフォン管、２１…貫通口、２２…導水路、２３…取込口、２４…孔部
【図１】
2005098100.tif 000003
【図２】
2005098100.tif 000004
【図３】
2005098100.tif 000005
【手続補正書】
【提出日】平成17年1月11日(2005.1.11)
【手続補正１】
【補正対象書類名】特許請求の範囲
【補正対象項目名】全文
【補正方法】変更
【補正の内容】
【特許請求の範囲】
【請求項１】
深さを形成する側面部（１１）に排水口（１２）が設けられ、この排水口より上方に取水部（１０、１５）が形成され、前記排水口（１２）より下方に沈殿部（１３）が形成された混濁物除去具（１）において、
前記沈殿部（１３）を形成する当該枡（１）の底面部（１４）、あるいは、前記沈殿部（１３）を形成する前記側面部（１１）を貫通した貫通口（２１）から上方に向って折り返し、前記貫通口（２１）より上方の前記沈殿部（１３）内で開口した導水路（２２）を形成するサイフォン管（２０）を備え、
このサイフォン管（２０）には、前記沈殿部（１３）内で開口する開口部分である取込口（２３）より上方でありかつ前記排水口（１２）より下方に、前記導水路（２２）に通じる孔部（２４）が形成されていることを特徴とする混濁物除去具（１）。
【請求項２】
請求項１記載の混濁物除去具（１）であって、前記取水部（１０，１５）として開口した天井面（１０）を有し、この開口にグレーチング（１４）を取付可能に形成されたことを特徴とする集水枡（１）。
【請求項３】
請求項１，２記載の混濁物除去具（１）であって、前記取水部（１０，１５）として前記側面部（１１）が開口し、この開口（１０）から道路の側溝や排水溝その他の集水設備から排水を取り込み可能に形成されたことを特徴とする集水枡（１）。
【手続補正２】
【補正対象書類名】明細書
【補正対象項目名】００１２
【補正方法】変更
【補正の内容】
【００１２】
上述した問題点を解決するためになされた請求項１に記載された混濁物除去具（１）は、深さを形成する側面部（１１）に排水口（１２）が設けられ、この排水口より上方に取水部（１０、１５）が形成され、前記排水口（１２）より下方に沈殿部（１３）が形成された混濁物除去具（１）において、前記沈殿部（１３）を形成する当該枡（１）の底面部（１４）、あるいは、前記沈殿部（１３）を形成する前記側面部（１１）を貫通した貫通口（２１）から上方に向って折り返し、前記貫通口（２１）より上方の前記沈殿部（１３）内で開口した導水路（２２）を形成するサイフォン管（２０）を備え、このサイフォン管（２０）には、前記沈殿部（１３）内で開口する開口部分である取込口（２３）より上方でありかつ前記排水口（１２）より下方に、前記導水路（２２）に通じる孔部（２４）が形成されていることを特徴とする。
【手続補正３】
【補正対象書類名】明細書
【補正対象項目名】００１４
【補正方法】変更
【補正の内容】
【００１４】
一方、この混濁物除去具は、サイフォン管を備えており、沈殿部に溜まった排水の水位が貫通口より高ければ、サイフォンの原理により、沈殿部に開口している取込口から排水が取り込まれ、貫通口から外部に排出される。そのため、この集水枡内に流れ込む水量よりサイフォン管から流れ出す水量のほうが多ければ、沈殿部内の排水の水位は徐々に下がっていく。ただし、本発明の混濁物除去具は、サイフォン管に孔部が設けられているので、沈殿部内の排水の水位がこの孔部に達すると、この孔部から空気が入り、サイフォンの原理が働かなくなって、外部への排水は停止する。